(57)【要約】【課題】サーボ層（ガイド層）に向けたレーザ光による層間クロストークを低減可能な光記憶媒体を提供することである。【解決手段】実施形態の光記憶媒体は、ガイド層と、記録層群と、ガイド層側中間層とを備える。前記記録層群は、複数の記録層とこれら複数の記録層の間に配置された複数の中間層とにより構成される。前記ガイド層側中間層は、前記複数の記録層のうちの前記ガイド層に最も近い第一の記録層と前記ガイド層との間の層であり、前記ガイド層側中間層の厚さＴ１が、前記記録層群に含まれた任意の連続した中間層の厚さの和Ｓ１と一致しない。【選択図】図１
2014049164.tif 000002
【特許請求の範囲】
【請求項１】
ガイド層と、
複数の記録層とこれら複数の記録層の間に配置された複数の中間層とにより構成される記録層群と、
前記複数の記録層のうちの前記ガイド層に最も近い第一の記録層と前記ガイド層との間のガイド層側中間層と、
を備え、
前記ガイド層側中間層の厚さＴ１が、前記記録層群に含まれた任意の連続した中間層の厚さの和Ｓ１と一致しない光記憶媒体。
【請求項２】
前記和Ｓ１は、前記連続した中間層の間に含まれる１以上の記録層の厚さの和を含む請求項１の光記憶媒体。
【請求項３】
前記ガイド層側中間層の厚さＴ１と、前記記録層群に含まれた前記第一の記録層と第二の記録層との間の１以上の中間層の厚さＴ２との和Ｓ２が、前記和Ｓ１と一致しない請求項１又は２の光記憶媒体。
【請求項４】
前記和Ｓ２は、前記第一の記録層と前記第二の記録層との間に複数の中間層が含まれる場合、前記複数の中間層の間に含まれる１以上の記録層の厚さの和を含む請求項３の光記憶媒体。
【請求項５】
前記ガイド層側中間層の厚さＴ１と前記和Ｓ１とが一致する複数の値を仮定し、前記複数の値のうちの第一の値と前記第一の値の次に大きい第２の値との間の中間値を定義し、
前記ガイド層側中間層の厚さＴ１が前記中間値に一致する請求項１乃至４の何れか一つの光記憶媒体。
【請求項６】
前記ガイド層側中間層の厚さＴ１と前記和Ｓ１とが一致する複数の値、及び前記和Ｓ２と前記和Ｓ１とが一致する複数の値を仮定し、これら全ての値のうちの第一の値と前記第一の値の次に大きい第２の値との間の中間値を定義し、
前記ガイド層側中間層の厚さＴ１が前記中間値に一致する請求項１乃至４の何れか１つの光記憶媒体。
【請求項７】
前記記録層群は、一つの記録層を挟んで交互に配置された第一の膜厚の第一の中間層と前記第一の膜厚と異なる第二の膜厚の第二の中間層とを含む請求項１乃至６の何れか１つの光記憶媒体。
【請求項８】
前記ガイド層に最も近い記録層とその次に近い記録層の間の中間層を第一の中間層とし、前記第一の膜厚m、前記第二の膜厚m+aを定義し、前記ガイド層側中間層の厚さＴ１が3.5m+2a、5.5m+3a、7.5m+4a、9.5m+5aのいずれかである請求項７の光記憶媒体。
【請求項９】
前記ガイド層に最も近い記録層とその次に近い記録層の間の中間層を第一の中間層とし、前記第一の膜厚m+a、前記第二の膜厚mを定義し、前記ガイド層側中間層の厚さＴ１が2.5m+a、4.5m+2a、6.5m+3a、8.5m+4a、10.5m+5aのいずれかである請求項７の光記憶媒体。
【請求項１０】
前記ガイド層に最も近い記録層とその次に近い記録層の間の中間層を第一の中間層とし、前記第一の膜厚が１４μｍ、前記第二の膜厚が１８μｍ、前記ガイド層側中間層の厚さＴ１が５７μｍあるいは８９μｍである請求項７の光記憶媒体。
【請求項１１】
前記ガイド層に最も近い記録層とその次に近い記録層の間の中間層を第一の中間層とし、前記第一の膜厚が１８μｍ、前記第二の膜厚が１４μｍで、前記ガイド層側中間層の厚さＴ１が３９μｍあるいは７１μｍである請求項７の光記憶媒体。
【請求項１２】
請求項１乃至１１の何れかの光記憶媒体に対してレーザ光により情報を記録する情報記録装置であって、
第一のレーザ光を前記ガイド層へ照射する第一の照射手段と、
前記第一のレーザ光に対応する第一の反射光を検出する検出手段と、
前記第一の反射光の検出結果に基づき前記ガイド層に記録された情報を再生する再生手段と、
記録情報に対応して制御される第二のレーザ光を前記複数の記録層のうちの指定された記録層へ照射する第二の照射手段と、
を備える情報記録装置。
【請求項１３】
請求項１乃至１１の何れかの光記憶媒体に対してレーザ光により情報を記録する情報記録方法であって、
第一のレーザ光を前記ガイド層へ照射し、
前記第一のレーザ光に対応する第一の反射光を検出し、
前記第一の反射光の検出結果に基づき前記ガイド層に記録された情報を再生し、
記録情報に対応して制御される第二のレーザ光を前記複数の記録層のうちの指定された記録層へ照射する、
を備える情報記録方法。
【発明の詳細な説明】
【技術分野】
【０００１】
本発明の実施形態は、光記憶媒体、情報記録装置、及び情報記録方法に関する。
【背景技術】
【０００２】
複数の記録層を備えた多層光ディスクの情報再生時に層間クロストークが発生することが知られている。例えば、記録層の情報を再生する光線(通常青色光)のクロストークの発生を低減する技術が提案されている。
【先行技術文献】
【特許文献】
【０００３】
【特許文献１】特開２０１１−１７０９３７号公報
【発明の概要】
【発明が解決しようとする課題】
【０００４】
記録層とは別にサーボ(専用)層を持つ多層光ディスクが知られており、サーボ層の情報を再生するサーボ専用光(通常赤色光)のクロストークの発生を低減したいという要望がある。
【０００５】
サーボ信号は、情報記録再生の基礎となる信号であり、情報記録においては勿論のこと、情報再生においても、情報再生信号と同等に高い信頼性が要求されるものである。先行技術文献には、サーボ専用光の光路にて発生する層間クロストークについて言及が無く、サーボ専用光の光路にて発生する層間クロストークを低減することは難しい。よって、多層光ディスクとして十分な性能を発揮できない可能性がある。
【０００６】
本発明の目的は、サーボ層（ガイド層）に向けたレーザ光による層間クロストークを低減可能な光記憶媒体を提供することである。また、このような光記憶媒体に対して情報を記録する情報記録装置及び情報記録方法を提供することである。
【課題を解決するための手段】
【０００７】
実施形態の光記憶媒体は、ガイド層と、記録層群と、ガイド層側中間層とを備える。前記記録層群は、複数の記録層とこれら複数の記録層の間に配置された複数の中間層とにより構成される。前記ガイド層側中間層は、前記複数の記録層のうちの前記ガイド層に最も近い第一の記録層と前記ガイド層との間の層であり、前記ガイド層側中間層の厚さＴ１が、前記記録層群に含まれた任意の連続した中間層の厚さの和Ｓ１と一致しない。
【図面の簡単な説明】
【０００８】
【図１】実施形態の光記憶媒体の一例を示す図。
【図２】実施形態の情報記録再生装置の構成の一例を示す図。
【図３】実施形態の光ピックアップの構成の一例を示す図。
【図４】実施形態の記録再生の一例を示す図。
【図５】青紫色レーザ光の共焦点クロストーク光の発生の一例を示す図。
【図６】赤色レーザ光の共焦点クロストーク光の発生の一例を示す図。
【図７】赤色レーザ光の別の共焦点クロストーク光の発生の一例を示す図。
【図８】共焦点クロストーク光が発生しない場合の一例を示す図。
【図９】ガイド光共焦点クロストーク発生の第一条件の一例を説明する図。
【図１０】ガイド光共焦点クロストーク発生の第二条件の一例を説明する図。
【図１１Ａ】実施形態の多層光記憶媒体のディスク構造の第一例を説明する図（第一中間層＜第二中間層）。
【図１１Ｂ】実施形態の多層光記憶媒体のディスク構造の第二例を説明する図（第一中間層＜第二中間層）。
【図１１Ｃ】実施形態の多層光記憶媒体のディスク構造の第三例を説明する図（第一中間層＜第二中間層）。
【図１２Ａ】実施形態の多層光記憶媒体のディスク構造の第一例を説明する図（第一中間層＞第二中間層）。
【図１２Ｂ】実施形態の多層光記憶媒体のディスク構造の第二例を説明する図（第一中間層＞第二中間層）。
【図１２Ｃ】実施形態の多層光記憶媒体のディスク構造の第三例を説明する図（第一中間層＞第二中間層）。
【図１３】共焦点クロストークが発生する確率の一例を示す図である（第一中間層＜第二中間層）。
【図１４】共焦点クロストークが発生する確率の一例を示す図である（第一中間層＞第二中間層）。
【発明を実施するための形態】
【０００９】
以下、実施形態について図面を参照して説明する。
【００１０】
図１は、実施形態にかかる光記憶媒体の断面構造を示す図である。実施形態において、光記憶媒体は複数の記録再生層を有する光ディスク10であって、後述する光ピックアップ(OPU)から発せられるレーザ光により情報が光ディスク10内の記録膜に記録される。その上面形状は例えば直径１２０ｍｍの円形である。本実施形態の光記憶媒体の効果はその上面形状には依存せず、たとえば、楕円、多角形、あるいはそれらを連結させた形状でも良い。
【００１１】
光ディスク10は、記録再生時のサーボ信号生成のための案内溝、あるいはピット列が形成されたガイド層20と記録層21（記録層21A〜21Lを含む）が基板11上に形成された構造となっている。記録層21は、記録層群とも称され、記録層群は、記録層21A〜21Lの12層及び中間層31A〜31Kの11層を含む。記録層21A〜21Lと中間層31A〜31Kとは交互に配置される。ガイド層20と記録層21は、基板11側からガイド層20、記録層21の順に形成され、光ピックアップからの記録再生用のレーザ光15,16は基板11と反対側から入射する。記録層21の基板11と反対側にはカバー層12が形成されている。
【００１２】
ガイド層20上の案内溝あるいはピット列は、例えば、深さ60nm、トラックピッチ0.64umのらせん構造であり、断面の凹部と凸部の比率は略1対1である。なお、溝深さ(ピット深さ)やトラックピッチはこれに限ったものではなく、深さ100nm程度の深溝（深ピット）、あるいは、20nm程度の浅溝（浅ピット）でも良く、0.32um程度の狭トラックピッチや、0.74um程度、あるいは1.2um程度の広トラックピッチでも構わない。また、トラック構造も同心円構造でもよく、らせん構造でも凹部と凸部が一周毎に切り替わる、いわゆるシングルスパイラル構造でも良い。また、案内溝には、アドレス情報が例えばウォブルにより印加されている。ウォブルとは、光ディスク10面内での案内溝のトラック延伸方向に対して垂直な方向へ蛇行である。
【００１３】
ガイド層20とガイド層20に最も近い記録層21Aの間には光透過性を有する中間層30が形成される。一方、記録層21のうち隣接する二つの記録層の間にも光透過性を有する中間層31A〜31Kが形成される。中間層30および中間層31（中間層31A〜31Kを含む）の厚さについては後述する。
【００１４】
カバー層12は光透過性を有し、その厚さは例えば53umである。カバー層は透明性を有する材料であれば特に限定はないが、ポリカーボネート、ＰＭＭＡなどの合成樹脂やガラスなどを用いることが可能である。記録層21は、情報を記録する層であり、光ピックアップから発せられるレーザ光により変化を生じ、情報に対応したマークが記録される。例えば、相変化材料を含む多層膜からなる相変化記録膜や、有機色素からなる追記型記録膜などである。一つの記録層21の厚さは、例えば 0.2μm以下で、記録層21の厚さはカバー層や中間層の厚さに対して、非常に小さい。
【００１５】
光ディスク10の記録再生時には、ガイド層20と記録層31にはレーザ光15と16がそれぞれ照射される。レーザ光15と16は、光ピックアップ内での光路分離のし易さのため、異なる波長を持ち、たとえば、レーザ光15は赤色レーザ光であり、レーザ光16は青紫色レーザ光である。
【００１６】
図２は、第一の実施形態に係る情報記録再生装置300の構成を示している。情報記録再生装置300は、インターフェース(IF)310、信号処理ユニット(DSP)320、レーザドライバ(LDD1)330、(LDD2)340、光ピックアップヘッドユニット(OPU)200、ＲＦアンプＩＣ(RF AMP)350、サーボコントローラ360、スピンドルモータ60で構成され、スピンドルモータ60には、多層光ディスク10がセットされる。
【００１７】
インターフェース310は、図示しない外部ホストとコマンドやデータのやり取りを行なう接続部分であり、特定の規格（例えばＳＡＴＡ）に対応している。
【００１８】
信号処理ユニット320は、インターフェース310を介して外部ホストとのコマンドおよびデータの送受信、データの変換、レーザドライバへのデータパルスおよび制御信号の送信、サーボコントローラ360への制御信号の送信、ＲＦアンプＩＣ350からのデータ信号の受信を担う。
【００１９】
レーザドライバ330、340は、信号処理ユニット320からのデータパルス、制御信号の受信、駆動パルスへの変換、および光ピックアップヘッドユニット200への駆動パルスの送信を行なう。
【００２０】
光ピックアップヘッドユニット200は、レーザドライバ330、340からの駆動パルスの応じて、レーザ光15、16を多層光ディスク10のガイド層20と記録層21に照射し、その反射光を受光し、反射光の強弱変化に応じた信号をＲＦアンプＩＣ350に送信する。
【００２１】
ＲＦアンプＩＣ350は、光ピックアップヘッドユニット200からの信号を増幅し、サーボ信号、データ信号を生成し、それぞれ、サーボコントローラ360、および信号処理ユニット320に送信する。
【００２２】
サーボコントローラ360は、ＲＦアンプＩＣ350からのサーボ信号の受信、サーボ信号のアクチュエータ駆動信号およびスピンドルモータ駆動信号への変換、および光ピックアップヘッドユニット200へのアクチュエータ駆動信号の送信、スピンドルモータ60への駆動信号の送信を行なう。
【００２３】
スピンドルモータ60は、サーボコントローラ360からのスピンドルモータ駆動信号を受信し、装着された光ディスク10を、その延伸方向に対して垂直な軸を中心に回転させる。
【００２４】
図３は、実施形態に係る情報記録再生装置300の光ピックアップヘッドユニット200の詳しい構成の一例を表している。光ピックアップヘッドユニット（ＯＰＵ）200は、青紫色レーザ(Blue LD)、赤色レーザ(Red LD)、偏光ビームスプリッタ(PBS)１、２、四分の１波長板(QWP)１、２、コリメートレンズ(CL)１、２、対物レンズ(OL)、ホログラム素子(HOE)、青紫色用光検出器ＩＣ(Blue PDIC)、赤色用光検出器ＩＣ(Red PDIC)、回折素子(GT)、ダイクロイックプリズム(DP)、コリメートレンズ用アクチュエータ(CL-ACT)、対物レンズアクチュエータ(OL-ACT)から構成される。
【００２５】
青紫色レーザは、例えば波長405nmを有する半導体レーザであり、記録及び再生のためのレーザ光を放出する。青紫色レーザは、図２の情報記録再生装置300のレーザドライバ１に接続されている。
【００２６】
ＰＢＳ１は、青紫色レーザからの入射光を透過し、入射光と９０度偏光面が回転した、青紫色レーザの光ディスク10からの反射光を反射する。
【００２７】
ＱＷＰ１は、青紫色レーザからの入射光を透過し、直線偏光を円偏光に変換する。また、青紫色レーザの光ディスク10からの反射光を透過し、円偏光を直線偏光に変換する。このとき、入射光と９０度偏光面が異なる直線偏光になる。例えば、入射光がＰ偏光であれば、反射光はＳ偏光となる。
【００２８】
コリメートレンズ１は、青紫色レーザ１からの入射光を略平行光に変換する。
【００２９】
対物レンズは、青紫色レーザから出射した光を光ディスク10の記録層21に集光する。なお、対物レンズは、レーザ光源側に波長選択制の開口を持つことにより、赤色レーザ光15と青紫色レーザ光16でそれぞれ異なる開口数を有し、たとえば、青紫色レーザ光16に対しては０．８５、赤色レーザ光15に対しては０．６５である。
【００３０】
ダイクロイックプリズムは、青紫色レーザからの入射光を透過し、赤色レーザからの入射光を反射する。
【００３１】
赤色レーザは、例えば波長655nmを有する半導体レーザであり、トラッキングサーボ用のレーザ光を放出する。赤色レーザは、情報記録再生装置300のレーザドライバ２に接続されている。
【００３２】
回折素子は、赤色レーザ光を回折により３つのビームに分割する。３つのビームは光ディスク10上で１つのメインビームと２つのサブビームとなる。
【００３３】
ＰＢＳ２は、赤色レーザからの入射光を透過し、入射光と９０度偏光面が回転した、赤色レーザの光ディスク10からの反射光を反射する。
【００３４】
ＱＷＰ２は、赤色レーザからの入射光を透過し、直線偏光を円偏光に変換する。また、赤色レーザの光ディスク10からの反射光を透過し、円偏光を直線偏光に変換する。このとき入射光と９０度偏光面が異なる直線偏光になる。例えば、入射光がＰ偏光であれば、反射光はＳ偏光となる。
【００３５】
コリメートレンズ２は、赤色レーザからの出射光を略平行光に変換する。
【００３６】
ＨＯＥは、青紫色レーザ１を出射した光束が、光ディスク10の情報記録層で反射した光束を透過し、光束の所定の領域を所定の角度で回折させる。
【００３７】
青紫色用光検出器ＩＣは、ＨＯＥからの青紫色レーザ光を受光し、その受光光量に応じた電流を発生させ、その内部の電流−電圧変換回路にて電圧に変換した上で出力する。
【００３８】
赤色用光検出器ＩＣは、ＰＢＳ２で反射した赤色レーザ光を受光し、その受光光量に応じた電流を発生させ、その内部の電流−電圧変換回路にて電圧に変換した上で出力する。
【００３９】
コリメートレンズアクチュエータは、コリメートレンズ２を、対物レンズから出射した赤色レーザ光が光ディスク10上で光軸方向（フォーカス方向）に移動するように、紙面内上下方向に駆動する。
【００４０】
対物レンズアクチュエータは、対物レンズから出射したレーザ光が光ディスク10上で光軸（フォーカス方向）に移動するように、紙面内左右方向に対物レンズを駆動する。また、対物レンズから出射したレーザ光が光ディスク10上の記録トラックの垂直方向（ラジアル方向）に移動するように、紙面に垂直な方向に駆動する。
【００４１】
次に、実施形態に係る情報記録再生装置の情報記録時の動作を図２および図４を用いて説明する。
【００４２】
図示しないホストからユーザデータの記録命令と記録対象であるデータが送出され、インターフェース310を介して信号処理ユニット320に送られる。信号処理ユニット320は受信した記録コマンドに従い、データ記録プロセスを開始する。まず、信号処理ユニット320は、レーザドライバ１、およびレーザドライバ２に駆動信号を送信し、青紫色レーザ、および赤色レーザを再生パワーにて点灯させる。サーボコントローラ360は、スピンドルモータ60に回転駆動信号を送信し、光ディスク10を所定の回転数にて回転駆動する。信号処理ユニット320は、サーボコントローラ360にフォーカスサーチ制御信号を送信する。サーボコントローラ360は、送信された制御信号に従い、コリメートレンズアクチュエータをフォーカス方向に単振動駆動する。単振動駆動されたコリメートレンズを通り対物レンズから出射された赤色レーザ光15の焦点は、光ディスク10のガイド層20を挟んで上下に繰り返し往復運動する。赤色レーザ光15のガイド層20での反射光は、赤色用光検出器ＩＣに集光される。赤色用光検出器ＩＣは、反射光量に基づいた電流を電圧に変換し、ＲＦアンプＩＣ350に送出する。ＲＦアンプＩＣ350は、受信した電圧信号から所定の演算により、赤色レーザ光のフォーカスエラー信号を生成し、サーボコントローラ360に送出する。フォーカスエラー信号は例えば図示しない非点収差生成光学素子により公知の非点収差法により生成される。サーボコントローラ360は、このフォーカスエラー信号がゼロとなる付近で、コリメートレンズアクチュエータの駆動を単振動駆動からフォーカスエラー信号に基づいた駆動に切り替えて、赤色レーザ光のフォーカスを案内溝層に引き込む。引き続き、サーボコントローラ360は、青紫色レーザ光16のフォーカスを、光ディスク10上の目的とする記録層21に引き込む。このとき、青紫色レーザ光16のフォーカスは、青紫色用光検出器ＩＣから送出された電圧信号を元にＲＦアンプＩＣで生成したフォーカスエラー信号を元に、対物レンズアクチュエータを駆動して記録層21のうち目的の記録層に引き込む。全てのビームのフォーカス引き込みが完了した後、サーボコントローラ360は、赤色レーザ光15を光ディスク10のガイド層20上の案内溝等で形成されたトラックに引き込む。このとき、サーボコントローラ360は、赤色用光検出器ＩＣから送出された電圧信号を元にＲＦアンプＩＣで生成したトラッキングエラー信号を元に対物レンズアクチュエータを駆動してガイド層上のトラックに引き込む。トラッキングエラー信号は例えば公知の差動プッシュプル法により生成される。次に、信号処理ユニット320は、赤色用光検出器ＩＣから送出された電圧信号を元にＲＦアンプＩＣで生成されたデータ信号を読み取り、現在のアドレスを再生する。目的とするアドレスが異なる場合には、信号処理ユニット320は、現在アドレスと目的アドレスとの差異に相当するトラック分のトラックジャンプ制御信号をサーボコントローラ360に送出する。サーボコントローラ360は、トラックジャンプ制御信号に基づいて、対物レンズアクチュエータに駆動パルスを送信し、所望のトラックへ赤色レーザ光15を移動させる。このとき、同じ対物レンズを通って照射されている青紫色レーザ光16も同じくトラック移動を行なう。
【００４３】
目的のアドレスに到達したことを確認し、信号処理ユニット320は、記録データ系列をレーザドライバ１に送信する。レーザドライバ１は、受信した記録データ系列に応じた駆動パルスを生成し、青紫色レーザに送出して、パルス駆動する。青紫色レーザにより放出されたパルスは対物レンズを通って、光ディスク10の記録層21に照射され、記録データ系列に応じた記録マークを形成する。
【００４４】
こうして、本実施形態の情報記録再生装置は、記録対象データを光ディスク10の目的の記録層21に記録する。
【００４５】
次に、実施形態に係る情報記録再生装置の情報再生時の動作を図２を用いて説明する。
【００４６】
図示しないホストからユーザデータの再生命令が送出され、インターフェース310を介して信号処理ユニット320に送られる。信号処理ユニット320は受信した再生コマンドに従い、データ再生プロセスを開始する。まず、信号処理ユニット320は、レーザドライバ１、およびレーザドライバ２に駆動信号を送信し、青紫色レーザ、および赤色レーザを再生パワーにて点灯させる。信号処理ユニット320は、サーボコントローラ360にフォーカスサーチ制御信号を送信する。サーボコントローラ360は、送信された制御信号に従い、コリメートレンズアクチュエータをフォーカス方向に単振動駆動する。単振動駆動されたコリメートレンズを通って対物レンズから出射された赤色レーザ光15の焦点は、光ディスク10のガイド層20を挟んで上下に繰り返し往復運動する。赤色レーザ光15のガイド層での反射光は、赤色用光検出器ＩＣに集光される。赤色用光検出器ＩＣは、反射光量に基づいた電流を電圧に変換し、ＲＦアンプＩＣ350に送出する。ＲＦアンプＩＣ350は、受信した電圧信号から所定の演算により、赤色レーザ光のフォーカスエラー信号を生成し、サーボコントローラ360に送出する。サーボコントローラ360は、このフォーカスエラー信号がゼロとなる付近で、コリメートレンズアクチュエータの駆動を単振動駆動からフォーカスエラー信号に基づいた駆動に切り替えて、赤色レーザ光のフォーカスをガイド層に引き込む。引き続き、サーボコントローラ360は、青紫色レーザ光16のフォーカスを、光ディスク10上の目的とする記録層21に引き込む。このとき、青紫色レーザ光16のフォーカスは、青紫色用光検出器ＩＣから送出された電圧信号を元にＲＦアンプＩＣで生成したフォーカスエラー信号を元に、対物レンズアクチュエータを駆動して記録層21のうち目的の記録層に引き込む。全てのビームのフォーカス引き込みが完了した後、サーボコントローラ360は、赤色レーザ光15をガイド層20のトラックに引き込む。このとき、サーボコントローラ360は、赤色用光検出器ＩＣから送出された電圧信号を元にＲＦアンプＩＣで生成したトラッキングエラー信号を元に対物レンズアクチュエータを駆動してガイド層20のトラックに引き込む。次に、信号処理ユニット320は、赤色用光検出器ＩＣから送出された電圧信号を元にＲＦアンプＩＣで生成されたデータ信号を読み取り、現在のアドレスを再生する。目的とするアドレスが異なる場合には、信号処理ユニット320は、現在アドレスと目的アドレスとの差異に相当するトラック分のトラックジャンプ制御信号をサーボコントローラ360に送出する。サーボコントローラ360は、トラックジャンプ制御信号に基づいて、対物レンズアクチュエータに駆動パルスを送信し、所望のトラックへ赤色レーザ光15を移動させる。このとき、同じ対物レンズを通って照射されている青紫色レーザ光16も同じくトラック移動を行なう。
【００４７】
青紫色用光検出器ＩＣは、青紫色レーザ光16が光ディスク10の記録層21で反射した反射光量に基づいた電流を電圧に変換し、ＲＦアンプＩＣ350に送出する。ＲＦアンプＩＣ350は、受信した電圧信号から所定の演算により、青紫色レーザ光16のトラッキングエラー信号を生成し、サーボコントローラ360に送出する。この場合のトラッキングエラー信号は、記録層21の記録済みマーク列から生成される、例えばＤＰＤ（Ｄｉｆｆｅｒｅｎｔｉａｌ  Ｐ  ａｓｅ  Ｄｅｔeciton）信号、あるいは、プッシュプル信号などである。
【００４８】
信号処理ユニット320は、目的アドレス近傍のトラックに到達したと判断した後、サーボコントローラ360にガイド層サーボからの切り離し制御信号を送信する。サーボコントローラ360は、対物レンズアクチュエータの駆動を、赤色レーザ光15のトラッキングエラー信号に基づいた駆動から、青紫色レーザ光16のトラッキングエラー信号に基づいた駆動に切り替えて、青紫色レーザ光16を記録層21の記録済みトラックに引き込む。次に、信号処理ユニット320は、青紫色用光検出器ＩＣから送出された電圧信号を元にＲＦアンプＩＣで生成されたデータ信号を読み取り、青紫色レーザ光16が引き込んだ記録層21の現在のアドレスを再生する。目的とするアドレスが異なる場合には、信号処理ユニット320は、現在アドレスと目的アドレスとの差異に相当するトラック分のトラックジャンプ制御信号をサーボコントローラ360に送出する。サーボコントローラ360は、トラックジャンプ制御信号に基づいて、対物レンズアクチュエータに駆動パルスを送信し、所望のトラックへ青紫色レーザ光16を移動させる。
【００４９】
信号処理ユニット320は、目的のアドレスに到達したことを確認し、記録層21からデータ再生を開始する。こうして、本実施形態の情報記録再生装置は、記録層から情報を再生することが出来る。
【００５０】
上述のように、ガイド層20から情報を再生する赤色レーザ光15と、記録層21に情報を記録、あるいは記録層21から情報を再生する青紫色レーザ光16が、それぞれ必要な役割を果たすことで光ディスク10の記録再生が成り立つことが判る。
【００５１】
複数の記録層を持つ光ディスクにおいて問題となる現象として層間クロストークがある。層間クロストークには隣接する記録層の映り込みによる層間クロストークと、共焦点クロストークがある(先行技術参照)。隣接する記録層の映り込みによる層間クロストークについては、先行技術の如く、中間層31の厚みを10μm以上に設定することで回避可能であり、中間層31の厚みの最小値10μmに製造上の誤差を見込んで中間層31の厚み設計値とすれば良い。
【００５２】
一方、記録再生光(青紫色レーザ光16)の共焦点クロストーク発生の様子を図５を用いて説明する。光ディスク10の記録層21のうち目的とする記録層(図では記録層21C)に照射された記録再生用の青紫色レーザ光16は、記録層の半透過性により複数の光ビームに分岐する。例えば、レーザ光16の一部は、記録層21Gで反射して、分岐ビーム17となって記録層21Kで焦点をむすび、この反射光が再び記録層21Gで反射してレーザ光16、すなわち記録層21Cの記録再生光と合流し、青色用光検出器ＩＣで同時かつ空間的に略同位置にて検出されてしまう。この共焦点クロストーク光は、記録再生光と同一波長でかつ略同一光路を通って検出されるため、空間的、帯域的分離手段が有効に働かず、強力なノイズとなって検出されることとなる。記録層における、記録再生光(青紫色レーザ光)の共焦点クロストークの低減には、記録層21の中間層31の厚さを互いに異なる厚さとすることが有効であることが知られており、たとえば、中間層31の厚さを第一および第二の中間層厚さが交互に繰り返す構造とするのが良い。このとき、第一の中間層厚さと第二の中間層厚さは製造上のマージンを考慮し、４μm以上の差を持たせることにより共焦点クロストークが低減される。したがって、第一の中間層厚さを１２μm、第二の中間層厚さを１６μmとすることにより、共焦点クロストークが低減され、かつ、映り込みによる層間クロストークも低減することが可能である。また、記録層21のすべての層の反射率を2%以下とすることで共焦点クロストークをさらに低減することが可能である。
【００５３】
ところで、記録層21への情報の記録あるいは記録層21からの情報の再生には、直接の記録層21の記録・再生に寄与する記録再生光(青紫色レーザ光16)はもとより、ガイド層20から情報を再生する赤色レーザ光15が必要な役割を果たすことが肝要であることは上述の通りである。したがって、記録再生光の層間クロストークと同等に、ガイド光(赤色レーザ光15)の層間クロストーク対策は重要である。図６は、ガイド光(赤色レーザ光15)の共焦点クロストーク発生の様子を示している。光ディスク10のガイド層20に照射されたガイド用の赤色レーザ光15は、記録層の半透過性により複数の光ビームに分岐する。例えば、レーザ光15の一部は、記録層21Aで反射して、分岐ビーム40となって記録層21Fで焦点をむすび、この反射光が再び記録層21Aで反射してレーザ光15、すなわちガイド層20の記録再生光と合流し、赤色用光検出器ＩＣで同時かつ空間的に略同位置にて検出されてしまう。この共焦点クロストーク光は、ガイド光と同一波長でかつ略同一光路を通って検出されるため、空間的、帯域的分離手段が有効に働かず、強力なノイズとなって検出されることとなる。一方、図７は、ガイド光(赤色レーザ光15)の別の共焦点クロストーク発生の様子を示している。光ディスク10のガイド層20に照射されたガイド用の赤色レーザ光15は、記録層の半透過性により複数の光ビームに分岐する。例えば、レーザ光15の一部は、記録層21Aで反射して、分岐ビーム42となって記録層21Jで反射する。この反射光が記録層21Eで反射してレーザ光15、すなわちガイド層20の記録再生光と合流する。このクロストーク光は、図６で説明したクロストーク光とは異なり、記録層21Jで焦点を結ばないが、赤色レーザ光15の周縁部において、赤色用光検出器ＩＣで同時かつ空間的に略同位置にて検出されてしまう。したがって、本実施形態ではこれも共焦点クロストークの一種として考えることとする。
【００５４】
一般に、記録層21の反射率は、記録再生光である青紫色波長帯に適合させて調整するため、ガイド光である赤色波長帯での反射率は優先的に調整することが出来ない。逆に言えば、赤色波長帯での反射率を、共焦点クロストークが生じないように調整することを優先させると記録層の材料選択範囲や膜厚調整範囲を極端に制限してしまうこととなり、光ディスク10の生産性を極端に悪化させ、コスト高となってしまう。したがって、ガイド光の共焦点クロストークの低減のためには、記録再生光の記録層における共焦点クロストーク（図５）とは独立したアプローチを採ることが望ましい。そこで、本実施形態では、ガイド層20と記録層21Aの間の中間層30と記録層21における中間層31の厚さを好適に作成することによりガイド光の共焦点クロストークを低減することとした。
【００５５】
図８はガイド光の共焦点クロストークが低減された様子の一例を示す図である。光ディスク10のガイド層20に照射されたガイド用の赤色レーザ光15は、一部が記録層21Aで反射して、分岐ビーム41となって記録層21Fで反射する。しかし、この場合、中間層30と中間層31が好適に作成されているため、分岐ビーム41は記録層21Fで焦点をむすばず、かつ、この反射光が再び記録層21Aで反射しても、レーザ光15、すなわちガイド層20の記録再生光とは同一光路では合流せず、赤色用光検出器ＩＣで空間的に一致しない位置で検出される。このため、このクロストーク光は、ガイド光15と空間的な分離が可能であり、ノイズ低減が可能である。
【００５６】
ここで、ガイド光の共焦点クロストークを低減可能な中間層厚構成について述べる。ガイド光の共焦点クロストークを低減可能な中間層厚構成を導出するには、共焦点クロストークが発生する中間層厚条件を明らかにすることと表裏一体である。そこで、ガイド光の共焦点クロストークの発生条件を以下に述べる。
【００５７】
[第一条件]
「ガイド層とガイド層に最も近い記録層の間の中間層の厚さが、記録層群における任意の連続した中間層の厚さの和と一致する。」
任意の連続した中間層の和は、任意の連続した中間層の間に含まれる１以上の記録層の厚さの和を含むものとするが、記録層の厚さは中間層等の厚さに比べて非常に薄いので、任意の連続した中間層の間に含まれる１以上の記録層の厚さの和を除外して第一条件を定義してもよい。
【００５８】
この条件を満たす場合のガイド光の共焦点クロストーク発生の様子を図９に示す。この図９では、ガイド層とガイド層に最も近い記録層の間の中間層30の厚さ(SL0)が、記録層21Hと記録層21Kの間の中間層31H〜中間層31Jの厚さの和に一致している。したがって、図９の線分ADと線分BCが同じ長さとなる。このとき、図９の四角形ＡＢＣＤは平行四辺形となり、光路IABCOを通る分岐ビームは、ガイド光(光路IADCO)と合流し、共焦点クロストーク光となる。なお、中間層30の厚さが、中間層31Aを含む任意の連続した中間層の厚さの和と一致する場合は、分岐ビームは記録層上で焦点をむすぶタイプの共焦点クロストーク光となる。
【００５９】
[第二条件]
「ガイド層とガイド層に最も近い記録層の間の中間層と、ガイド層に最も近い記録層と任意の記録層の間の中間層との、厚さの和が記録層群における任意の連続した中間層の厚さの和と一致する。」
ガイド層に最も近い記録層と任意の記録層の間の中間層の厚さは、ガイド層に最も近い記録層と任意の記録層の間に１以上の記録層が含まれる場合、１以上の記録層の厚さの和を含むものとするが、記録層の厚さは中間層等の厚さに比べて非常に薄いので、ガイド層に最も近い記録層と任意の記録層の間に含まれる１以上の記録層の厚さ除外して第二条件を定義してもよい。
【００６０】
この条件を満たす場合のガイド光の共焦点クロストーク発生の様子を図１０に示す。この図１０では、ガイド層とガイド層に最も近い記録層21Aの間の中間層30の厚さ(SL0)と記録層21Aと記録層21Bの間の中間層31Aの厚さの和SL0+SL1が、記録層21Dと記録層21Iの間の中間層31D〜中間層31Hの厚さの和に一致している。したがって、図１０の線分A’D’と線分B’C’が同じ長さとなる。このとき、図１０の四角形Ａ’Ｂ’Ｃ’Ｄ’は平行四辺形となり、光路IA’B’C’Oを通る分岐ビームは、ガイド光(光路IA’D’C’O)と合流し、共焦点クロストーク光となる。なお、中間層30と中間層31Aの厚さの和が、中間層31Bを含む任意の連続した中間層の厚さの和と一致する場合は、分岐ビームは記録層上で焦点をむすぶタイプの共焦点クロストーク光となる。同様に中間層30と中間層31Aと31Bの厚さの和が、中間層31Cを含む任意の連続した中間層の厚さの和と一致する場合は、分岐ビームは記録層上で焦点をむすぶタイプの共焦点クロストーク光となる。
【００６１】
したがって、ガイド光の共焦点クロストークを低減可能な中間層厚構成とは、上記第一条件と第二条件を同時に、あるいは一方を満たさない中間層厚構成を言うこととなる。
【００６２】
ところで、記録層21の中間層31は、記録再生光(青紫色レーザ光16)の層間クロストークを低減するため、第一および第二の中間層厚さが交互に繰り返す構造とするのが良いと述べた。光ディスク10は、ガイド光(赤色レーザ光15)の層間クロストークと記録再生光(青紫色レーザ光16)の層間クロストークが同時に低減可能な構造とすることで初めて信頼性の高い情報の記録再生が可能となる。したがって、ガイド光の共焦点クロストークを低減可能な中間層厚構成は、第一および第二の中間層厚さが交互に繰り返す構造に適用して考えるのが好ましい。以下、記録再生光の層間クロストークを低減しつつ、ガイド光の共焦点クロストークを低減可能な中間層厚構成の条件を検討する。なお、記録層21の層数が１２層の場合を考えることとする。第一および第二の中間層厚さが交互に繰り返す構造を一般化すると、第一の中間層厚さをm(μm)、第二の中間層厚さをm+a(μm)と表すことができる。ここで、第一の中間層厚さが第二の中間層厚さより薄いとした。なお、ガイド層に最も近い記録層とその次に近い記録層の間の中間層は、第一の中間層厚さを有するものと考える。
【００６３】
このとき、上記の第一条件を満たす中間層30の厚さは、以下の通りである。但し、中間層30の厚さが第二の中間層厚さ以下となる場合は、ガイド層に隣接する記録層の映り込みによる層間クロストークが大きくなるため除外した。
【００６４】
2m+a
3m+a
3m+2a
4m+2a
5m+2a
5m+3a
6m+3a
7m+3a
7m+4a
8m+4a
9m+4a
9m+5a
10m+5a
11m+5a
11m+6a
一方、上記の第二条件を満たす中間層30の厚さは、以下の通りである。
【００６５】
2m+2a
4m+3a
6m+4a
8m+5a
10m+6a
但し、上記の第一条件を満たす中間層30の厚さと一致する場合は除外した。したがって、上記第一条件と第二条件のいずれかを満たす中間層30の厚さは、以下の通りである(中間層厚条件群１)。
【００６６】
2m+a
2m+2a
3m+a
3m+2a
4m+2a
4m+3a
5m+2a
5m+3a
6m+3a
6m+4a
7m+3a
7m+4a
8m+4a
8m+5a
9m+4a
9m+5a
10m+5a
10m+6a
11m+5a
11m+6a
記録層21の中間層31を形成する場合に、第一の中間層厚と第二の中間層厚の差、すなわち、a(μm)は、層間クロストークを低減する観点からは大きいほど良いが、あまり大きいと記録層21全体の厚さが厚くなり、光ピックアップユニット200の対物レンズの特性として収差が大きくなってしまう。したがって、aは、mより小さくする必要がある。すなわち、m>aである。さて、中間層30の厚さは上記第一条件と第二条件のいずれも満たさないことが共焦点クロストーク回避の観点から好ましい。このとき中間層30の厚さは上記の中間層厚条件群１のどの値からも遠い厚さに設定すると良い。このため、例えば、一つの方法は、中間層30の厚さを11m+6aよりも十分に大きくすることである。この場合は確かにガイド光の共焦点クロストークは発生しないが、中間層30、中間層31およびカバー層の合計の厚さが大きくなりすぎ、光ピックアップユニット200の対物レンズの特性として収差が大きくなってしまう。
【００６７】
したがって、例えば、第一条件である2m+a、3m+a、3m+2a、4m+2a、5m+2a、5m+3a、6m+3a、7m+3a、7m+4a、8m+4a、9m+4a、9m+5a、10m+5a、11m+5a、11m+6aのうちの中間値又は中間値に近い値に中間層30の厚さを設定することができる。例えば、2m+a及び3m+aの中間値は、2.5m+aである。第一条件だけでなく、第二条件をも考慮することが好ましいので、中間層30の厚さは上記中間層厚条件群１の中間値又は中間値に近い値に設定するのが好ましい。中間層厚条件群１の連続した値の間隔は、m、a、m-aのいずれかであり、m>aを考慮すると、最も間隔が離れているのは、間隔がmの場合である。すなわち、3m+2aと4m+2a、5m+3aと6m+3a、7m+4aと8m+4a、9m+5aと10m+5aの間である。最も間隔が離れている場合を考慮するならば、中間層30の厚さは、これらの中間の値、3.5m+2a、5.5m+3a、7.5m+4a、9.5m+5aとして形成するとガイド光の共焦点クロストークを低減しつつ、記録再生光の層間クロストークが低減可能となる。
【００６８】
ところで、中間層31の値としては、例えば、m=12、a=4、すなわち、第一の中間層厚が12μm、第二の中間層厚が16μmとすることが、記録再生光の層間クロストーク低減の観点から有効であると述べた。一方、ガイド光の共焦点クロストーク光の観点からは、mを大きくすることが好ましい。この両者を同時に満足し、中間層とカバー層の合計の厚さが大きくなりすぎない値の一例を求めた。
【００６９】
対物レンズの赤色レーザ光の開口数を０．６５、中間層30の厚さを3.5m+2aとした場合に、ガイド光の共焦点クロストークが発生する確率をモンテカルロシミュレーションで求めた結果を図１３に示す。結果として、m=14(μm)とすることで、m=12(μm)とくらべて、ガイド光の共焦点クロストークを生ずるディスクの発生確率(DPPM)が、180から0へと低減することが判明した（図１３参照）。
【００７０】
したがって、例えば、m=14、a=4、すなわち第一の中間層厚が14μm、第二の中間層厚が18μmとして形成され、中間層厚30が、57μm、89μm、121μm、153μmとして形成された光ディスク10が、ガイド光(赤色レーザ光15)および記録再生光(青紫色レーザ光16)の層間クロストークが低減され、かつ、ディスク製造時の不良品率が低い、信頼性の高い光ディスクとなる。なお、中間層30は光ピックアップユニット200の対物レンズの収差の観点からは薄い方が好ましいため、上記のなかでも57μmあるいは89μmとすることが好ましい。
【００７１】
第一および第二の中間層厚さが交互に繰り返す構造として、第一の中間層厚さが、第二の中間層厚さより厚い場合も考えられる。この場合、第一の中間層厚さをm+a(μm)、第二の中間層厚さをm(μm)と表すことができる。このとき、上記の第一条件を満たす中間層30の厚さは、以下の通りである。但し、中間層30の厚さが第二の中間層厚さ以下となる場合は、除外した。
【００７２】
2m+a
3m+a
3m+2a
4m+2a
5m+2a
5m+3a
6m+3a
7m+3a
7m+4a
8m+4a
9m+4a
9m+5a
10m+5a
11m+5a
11m+6a
一方、上記の第二条件を満たす中間層30の厚さは、以下の通りである。
【００７３】
2m
4m+a
6m+2a
8m+3a
10m+4a
但し、上記の第一条件を満たす中間層30の厚さと一致する場合は除外した。したがって、上記第一条件と第二条件のいずれかを満たす中間層30の厚さは、以下の通りである(中間層厚条件群２)。
【００７４】
2m
2m+a
3m+a
3m+2a
4m+a
4m+2a
5m+2a
5m+3a
6m+2a
6m+3a
7m+3a
7m+4a
8m+3a
8m+4a
9m+4a
9m+5a
10m+4a
10m+5a
11m+5a
11m+6a
第一の中間層厚と第二の中間層厚の差、a(μm)は、m>aの関係を満たすことは前記と同様である。
【００７５】
したがって、例えば、第一条件である
2m+a、3m+a、3m+2a、4m+2a、5m+2a、5m+3a、6m+3a、7m+3a、7m+4a、8m+4a、9m+4a、9m+5a、10m+5a、11m+5a、11m+6aのうちの中間値又は中間値に近い値に中間層30の厚さを設定することができる。例えば、2m+a及び3m+aの中間値は、2.5m+aである。第一条件だけでなく、第二条件をも考慮することが好ましいので、中間層30の厚さは上記中間層厚条件群２の中間値又は中間値に近い値に設定するのが好ましい。上記中間層厚条件群２の連続した値の間隔は、m、a、m-aのいずれかであり、m>aを考慮すると、最も間隔が離れているのは、間隔がmの場合である。すなわち、2m+aと3m+a、4m+2aと5m+2a、6m+3aと7m+3a、8m+4aと9m+4aの間である。最も間隔が離れている場合を考慮するならば、中間層30の厚さは、これらの中間の値、2.5m+a、4.5m+2a、6.5m+3a、8.5m+4aとして形成するとガイド光の共焦点クロストークを低減しつつ、記録再生光の層間クロストークが低減可能となる。
【００７６】
対物レンズの赤色レーザ光の開口数を０．６５、中間層30の厚さを2.5m+aとした場合に、ガイド光の共焦点クロストークが発生する確率をモンテカルロシミュレーションで求めた結果を図１４に示す。中間層30の厚さを上述の条件に基づいて形成することで、ガイド光の共焦点クロストークを生ずるディスクの発生確率(DPPM)が、0となることが確認された（図１４参照）。
【００７７】
したがって、m=14、a=4、すなわち第一の中間層厚が18μm、第二の中間層厚が14μmとして形成され、中間層厚30が、39μm、71μm、103μm、135μm、167μmとして形成された光ディスク10が、ガイド光(赤色レーザ光15)および記録再生光(青紫色レーザ光16)の層間クロストークが低減され、かつ、ディスク製造時の不良品率が低い、信頼性の高い光ディスクとなる。なお、中間層30は光ピックアップユニット200の対物レンズの収差の観点からは薄い方が好ましいため、上記のなかでも39μmあるいは71μmとすることが好ましい。
【００７８】
[光ディスクの構造]
上述のようにガイド層および記録層の中間層厚を構成した場合の光ディスク構造を図１１を用いて説明する。図１１Ａ、図１１Ｂ、図１１Ｃは第一の中間層が第二の中間層よりも薄い場合のディスク構造を示す。上記の実施形態にて述べたように第一の中間層厚を14μm、第二の中間層厚を18μmとした場合、中間層30の厚さは57μmあるいは89μmとすることで信頼性の高い光ディスクが得られる。図１１Ａは、記録層21を12層備えた光ディスク10の構造例である。カバー層12の厚さは、厚すぎると記録層の記録再生時のチルトマージンが低下するが、薄すぎると最もカバー層に近い記録層21Lの保護が十分でなくなる。そこでカバー層12の厚さは、ブルーレイディスク等で実績のある53μmとした。この結果、ガイド層20のカバー層表面からの距離は284μm、記録層21Aのカバー層表面からの距離は227μmとなる。図１１Ｂ、図１１Ｃは、それぞれ記録層21を8層、および6層備えた光ディスク10の構造例である。まず、ガイド層20は、12層の例と同じくカバー層表面から284μmに位置する。これは、同一の光ピックアップユニット200でこれらのディスクを記録再生した場合にガイド光の品質、収差特性がほぼ同程度となることが期待できるからである。中間層30の厚さは57μmあるいは89μmとすることで信頼性の高い光ディスクが得られるが、カバー層12の厚さが極端に厚くならないようにするため、ここでは89μmとした。この結果、記録層21Aのカバー層表面からの距離は195μmとなる。結果として、8層の記録層を持つディスクのカバー層12の厚さは85μm（図１１Ｂ）、6層の記録層を持つディスクのカバー層12の厚さは117μm(図１１Ｃ)となる。
【００７９】
一方、第一の中間層が第二の中間層よりも厚い場合のディスク構造例を図１２Ａ、図１２Ｂ、図１２Ｃに示す。この場合、上記の実施形態に記した通り、第一の中間層厚を18μm、第二の中間層厚を14μmとした場合、中間層30の厚さは39μmあるいは71μmとすることで信頼性の高い光ディスクが得られる。図１２Ａは、記録層21を12層備えた光ディスク10の構造例である。ここでカバー層12の厚さは、上記と同じ理由で53μmとした。この結果、ガイド層20のカバー層表面からの距離は270μm、記録層21Aのカバー層表面からの距離は231μmとなる。図１２Ｂ、図１２Ｃは、それぞれ記録層21を8層、および6層備えた光ディスク10の構造例である。まず、図１１Ａ、図１１Ｂ、図１１Ｃの例と同じ理由で、ガイド層20は、12層の例と同じくカバー層表面から270μmに位置する。中間層30の厚さは39μmあるいは71μmとすることで信頼性の高い光ディスクが得られるが、カバー層12の厚さが極端に厚くならないようにするため、ここでは71μmとした。この結果、記録層21Aのカバー層表面からの距離は199μmとなる。結果として、8層の記録層を持つディスクのカバー層12の厚さは85μm（図１２Ｂ）、6層の記録層を持つディスクのカバー層12の厚さは117μm(図１２Ｃ)となる。
【００８０】
本実施形態の光記憶媒体では、サーボ専用層(ガイド層)と情報記録再生層を別個に持つ多層光ディスクにおいて、ガイド層および記録層の中間層厚構成を好適に作成することにより、記録層を記録再生する記録再生光のみならず、ガイド層を再生するガイド光における層間クロストークが低減可能となり、情報記録再生において、高い信頼性を有する多層光ディスクを提供することが可能となる。
【００８１】
以下、本実施形態についてまとめる。
【００８２】
（１）実施形態の光記憶媒体において、ガイド層とガイド層に最も近い記録層の間の中間層の厚さが、記録層群における任意の連続した中間層の厚さの和と一致しない。
【００８３】
（２）上記（１）を前提として、ガイド層とガイド層に最も近い記録層の間の中間層と、ガイド層に最も近い記録層と任意の記録層の間の中間層(群)との、厚さの和が、記録層群における任意の連続した中間層の厚さの和と一致しない。
【００８４】
（３）上記（１）又は（２）を前提として、記録層群の中間層が、第一の膜厚である第一中間層と、第一の膜厚と異なる第二の膜厚である第二中間層が、記録層を挟んで交互に積層される。
【００８５】
（４）上記（３）を前提として、前記第一の膜厚をm、前記第二の膜厚をm+aとし、前記ガイド層とガイド層に最も近い記録層の間の中間層の厚さが3.5m+2a、5.5m+3a、7.5m+4a、9.5m+5aのいずれかである。
【００８６】
（５）上記（３）を前提として、前記第一の膜厚をm+a、前記第二の膜厚をmとし、前記ガイド層とガイド層に最も近い記録層の間の中間層の厚さが2.5m+a、4.5m+2a、6.5m+3a、8.5m+4a、10.5m+5aのいずれかである。
【００８７】
（６）上記（３）を前提として、前記第一の膜厚が１４μｍ、前記第二の膜厚が１８μｍで、前記ガイド層とガイド層に最も近い記録層の間の中間層の厚さが５７μｍあるいは８９μｍである。
【００８８】
（７）上記（３）を前提として、前記第一の膜厚が１８μｍ、前記第二の膜厚が１４μｍで、前記ガイド層とガイド層に最も近い記録層の間の中間層の厚さが３９μｍあるいは７１μｍである。
【００８９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９０】
１０…光ディスク、１１…基板、２０…ガイド層、２１…記録層、３１…中間層
【図１】
2014049164.tif 000003
【図２】
2014049164.tif 000004
【図３】
2014049164.tif 000005
【図４】
2014049164.tif 000006
【図５】
2014049164.tif 000007
【図６】
2014049164.tif 000008
【図７】
2014049164.tif 000009
【図８】
2014049164.tif 000010
【図９】
2014049164.tif 000011
【図１０】
2014049164.tif 000012
【図１１Ａ】
2014049164.tif 000013
【図１１Ｂ】
2014049164.tif 000014
【図１１Ｃ】
2014049164.tif 000015
【図１２Ａ】
2014049164.tif 000016
【図１２Ｂ】
2014049164.tif 000017
【図１２Ｃ】
2014049164.tif 000018
【図１３】
2014049164.tif 000019
【図１４】
2014049164.tif 000020